(57)【要約】【課題】メインリモコンとは別に、小型で携帯しやすくまたデザインも変化をつけやすい形状を持つサブリモコンを備える薄型テレビジョン装置を提供する。【解決手段】ユーザ操作に応じた各種信号を送信することで本体１０ａの動作を遠隔操作できるメインリモコン２３を備えた液晶テレビジョン装置１０において、外形がペン型の形状をしたケース３１と、ケース３１の一方の先端部３１ａに設けられて本体１０ａの動作を遠隔操作する為の赤外線信号を送信する信号送信部（ＬＥＤ）３２と、ケース３１の長手方向表面の外周を囲むように設けられてメインリモコン２３で遠隔操作可能な本体１０ａの動作の内から予め選択された所定動作を遠隔操作する複数の押しボタンスイッチ３３とを有して、メインリモコン２３よりも小型に構成されたサブリモコン３０を備える。【選択図】図３
2009171522.tif 000002
【特許請求の範囲】
【請求項１】
ユーザ操作に応じた各種信号を送信することで本体の動作を遠隔操作できるメインリモコンを備えた薄型テレビジョン装置において、
外形がペン型の形状をしたケースと、
上記ケースの一方の先端部に設けられて本体の動作を遠隔操作する為の信号を送信する信号送信部と、
上記ケースの長手方向表面の外周を囲むように設けられて上記メインリモコンで遠隔操作可能な本体の動作の内から予め選択された動作を遠隔操作する複数の押しボタンスイッチとを有して、
上記メインリモコンよりも小型に構成されたサブリモコンを備えることを特徴とする薄型テレビジョン装置。
【請求項２】
上記予め選択された動作は、ユーザによる使用頻度が高い動作である電源のオン／オフ、チャンネルのアップ／ダウン、及びボリュームのアップ／ダウンであることを特徴とする請求項１に記載の薄型テレビジョン装置。
【請求項３】
上記サブリモコンは、上記ケース内にバッテリを備え、該ケースの他方の先端部付近の長手方向表面に該バッテリの充電用コネクタを有していることを特徴とする請求項１または２に記載の薄型テレビジョン装置。
【請求項４】
上記サブリモコンは、
マイコンが搭載されたマイコン用基板と、
長手方向の一方の先端部に上記信号送信部を搭載し、長手方向の他方の先端部に上記バッテリと電気的に接続するバッテリ接続部を搭載し、幅方向に上記複数の押しボタンスイッチと各々電気的に接続する複数のスイッチ接続部を並べて搭載し、上記マイコン用基板と電気的に接続される可撓性基板と
を、上記可撓性基板を幅方向に撓ませつつ内部に収容することを特徴とする請求項３に記載の薄型テレビジョン装置。
【請求項５】
上記押しボタンスイッチは、操作ボタンと該操作ボタンが押し下げ操作されることによりオンさせられるスイッチ部とから構成され、
上記スイッチ接続部は、上記スイッチ部の一方の端子と接続され且つ上記バッテリから基準電圧を供給される第１金属アタッチメントと、上記スイッチ部の他方の端子と接続され且つ第１抵抗を介して上記マイコンと接続されると共に第２抵抗を介して接地される第２金属アタッチメントとから構成されていることを特徴とする請求項４に記載の薄型テレビジョン装置。
【請求項６】
上記サブリモコンは、
マイコンが搭載されたマイコン用基板と、
長手方向の一方の先端部に上記信号送信部を搭載し、長手方向の他方の先端部に上記バッテリと電気的に接続するバッテリ接続部を搭載し、幅方向に上記複数の押しボタンスイッチにより各々断接される回路パターンを並べて形成し、上記マイコン用基板と電気的に接続される可撓性基板と
を、上記可撓性基板を幅方向に撓ませつつ内部に収容することを特徴とする請求項３に記載の薄型テレビジョン装置。
【請求項７】
上記押しボタンスイッチは、操作ボタンと該操作ボタンが押し下げ操作されることにより上記回路パターンを電気的に接続する導電ラバーとから構成され、
上記回路パターンは、上記操作ボタンの押し下げ操作時に上記導電ラバーに接触され且つ上記バッテリから基準電圧を供給される第１端子と、上記操作ボタンの押し下げ操作時に上記導電ラバーに接触され且つ第１抵抗を介して上記マイコンと接続されると共に第２抵抗を介して接地される第２端子とから構成されていることを特徴とする請求項６に記載の薄型テレビジョン装置。
【請求項８】
上記ケースは、上記押しボタンスイッチを装着する孔部を有し、
長手方向の中央付近にて幅方向に沿った分割面で分割されることを特徴とする請求項１乃至７に記載の薄型テレビジョン装置。
【請求項９】
上記ケースは、上記押しボタンスイッチを装着する孔部を有し、
長手方向の一方の端部付近にて幅方向に沿った分割面で分割されることを特徴とする請求項１乃至７に記載の薄型テレビジョン装置。
【請求項１０】
上記ケースは、上記押しボタンスイッチを装着する孔部を有し、
長手方向に沿った分割面で分割されることを特徴とする請求項１乃至７に記載の薄型テレビジョン装置。
【請求項１１】
上記予め選択された動作は、ユーザによる使用頻度が高い動作である電源のオン／オフ、チャンネルのアップ／ダウン、及びボリュームのアップ／ダウンであり、
上記信号送信部は、ＬＥＤによりユーザ操作に応じた各種赤外線信号を送信するものであり、
上記サブリモコンは、
上記ケースの他方の先端部付近内にリチウムイオン二次電池を備え、
該ケースの他方の先端部付近の長手方向表面に該リチウムイオン二次電池の充電用コネクタを有し、
マイコンが搭載されたマイコン用基板と、長手方向の一方の先端部に上記ＬＥＤを搭載し、長手方向の他方の先端部に上記リチウムイオン二次電池と電気的に接続するバッテリ接続部を搭載し、幅方向に上記複数の押しボタンスイッチと各々電気的に接続する複数のスイッチ接続部を並べて搭載し、上記マイコン用基板と電気的に接続される可撓性基板とを、該可撓性基板を幅方向に撓ませつつ内部に収容するものであり、
上記押しボタンスイッチは、上記動作に各々対応した操作ボタンと該操作ボタンが押し下げ操作されることにより各々オンさせられるスイッチ部とから構成されており、
上記スイッチ接続部は、上記スイッチ部の一方の端子と接続され且つ上記リチウムイオン二次電池から基準電圧を供給される第１金属アタッチメントと、上記スイッチ部の他方の端子と接続され且つ第１抵抗を介して上記マイコンと接続されると共に第２抵抗を介して接地される第２金属アタッチメントとから構成されており、
上記ケースは、
一方の先端部付近に上記押しボタンスイッチを装着する孔部を有し、
長手方向の中央付近にて幅方向に沿った分割面で分割されることを特徴とする請求項１に記載の薄型テレビジョン装置。 
【発明の詳細な説明】
【技術分野】
【０００１】
本発明は、リモコン操作により本体を操作することができる薄型テレビジョン装置に関する。
【背景技術】
【０００２】
ユーザ操作に応じた各種信号を例えば無線方式により本体へ送信することで本体の動作を遠隔操作することができるリモコンを備えた薄型テレビジョン装置がよく知られている。一般に、このようなリモコンは、本体の動作に対応した数多くの操作ボタンを搭載するために、乾電池等を電源として使用することと相俟ってほぼ扁平な直方体状のケースとなるなど形状が画一的になりやすい。これに対して、種々の形状をしたケースが提案されている。
【０００３】
例えば特許文献１には、所定の動きパターンで動きを与えることにより、被制御機器を誤作動させることなく制御することのできる筆記具兼用リモコン装置が開示されている。
また、特許文献２には、片手でも操作しやすく、また保管時の収納性に優れる杖型の家電機器リモートコントローラーが開示されている。
また、特許文献３には、ボールペン型の移動電話が開示されている。
【特許文献１】特開２００６−２１１４９７号公報
【特許文献２】実用新案登録第３０９８０８８号公報
【特許文献３】特表２０００−５０１５７７号公報
【発明の開示】
【発明が解決しようとする課題】
【０００４】
しかしながら、本体の動作に対応した数多くの操作ボタンを搭載するメインリモコンに対して遠隔操作が可能な本体の動作を限定して操作ボタンの数を減らした小型のサブリモコンをメインリモコンとは別に用意することを前提とするならば、携帯性に優れまたデザインの幅も広がるリモコンが望まれる。
【０００５】
本発明は上記課題に鑑みて為されたもので、その目的とするところは、メインリモコンとは別に、小型で携帯しやすくまたデザインも変化をつけやすい形状を持つサブリモコンを備える薄型テレビジョン装置を提供することにある。
【課題を解決するための手段】
【０００６】
上記目的を達成するための請求項１に記載の発明は、ユーザ操作に応じた各種信号を送信することで本体の動作を遠隔操作できるメインリモコンを備えた薄型テレビジョン装置において、外形がペン型の形状をしたケースと、上記ケースの一方の先端部に設けられて本体の動作を遠隔操作する為の信号を送信する信号送信部と、上記ケースの長手方向表面の外周を囲むように設けられて上記メインリモコンで遠隔操作可能な本体の動作の内から予め選択された動作を遠隔操作する複数の押しボタンスイッチとを有して、上記メインリモコンよりも小型に構成されたサブリモコンを備える構成としてある。
【０００７】
上記のように構成された本発明の薄型テレビジョン装置において、上記サブリモコンは上記メインリモコンよりも小型に構成されたペン型の形状をしている。このサブリモコンにはそのメインリモコンで遠隔操作可能な本体の動作の内から予め選択された動作を遠隔操作する為の押しボタンスイッチが搭載されている、例えば必要最低限に絞り込んだ押しボタンスイッチが搭載されている。
【０００８】
また、好適には、上記予め選択された動作は、ユーザによる使用頻度が高い動作である電源のオン／オフ、チャンネルのアップ／ダウン、及びボリュームのアップ／ダウンである構成としても良い。このように構成されることで、電源のオン／オフ、チャンネルのアップ／ダウン、及びボリュームのアップ／ダウンの動作を遠隔操作する為の押しボタンスイッチが搭載される。
【０００９】
また、好適には、上記サブリモコンは、上記ケース内にバッテリを備え、該ケースの他方の先端部付近の長手方向表面に該バッテリの充電用コネクタを有している構成としても良い。
【００１０】
また、好適には、上記サブリモコンは、マイコンが搭載されたマイコン用基板と、長手方向の一方の先端部に上記信号送信部を搭載し、長手方向の他方の先端部に上記バッテリと電気的に接続するバッテリ接続部を搭載し、幅方向に上記複数の押しボタンスイッチと各々電気的に接続する複数のスイッチ接続部を並べて搭載し、上記マイコン用基板と電気的に接続される可撓性基板とを、上記可撓性基板を幅方向に撓ませつつ内部に収容する構成としても良い。
【００１１】
また、好適には、上記押しボタンスイッチは、操作ボタンと該操作ボタンが押し下げ操作されることによりオンさせられるスイッチ部とから構成され、上記スイッチ接続部は、上記スイッチ部の一方の端子と接続され且つ上記バッテリから基準電圧を供給される第１金属アタッチメントと、上記スイッチ部の他方の端子と接続され且つ第１抵抗を介して上記マイコンと接続されると共に第２抵抗を介して接地される第２金属アタッチメントとから構成されても良い。
【００１２】
また、好適には、上記サブリモコンは、マイコンが搭載されたマイコン用基板と、長手方向の一方の先端部に上記信号送信部を搭載し、長手方向の他方の先端部に上記バッテリと電気的に接続するバッテリ接続部を搭載し、幅方向に上記複数の押しボタンスイッチにより各々断接される回路パターンを並べて形成し、上記マイコン用基板と電気的に接続される可撓性基板とを、上記可撓性基板を幅方向に撓ませつつ内部に収容する構成としても良い。
【００１３】
また、好適には、上記押しボタンスイッチは、操作ボタンと該操作ボタンが押し下げ操作されることにより上記回路パターンを電気的に接続する導電ラバーとから構成され、上記回路パターンは、上記操作ボタンの押し下げ操作時に上記導電ラバーに接触され且つ上記バッテリから基準電圧を供給される第１端子と、上記操作ボタンの押し下げ操作時に上記導電ラバーに接触され且つ第１抵抗を介して上記マイコンと接続されると共に第２抵抗を介して接地される第２端子とから構成されても良い。
【００１４】
また、好適には、上記ケースは、上記押しボタンスイッチを装着する孔部を有し、長手方向の中央付近にて幅方向に沿った分割面で分割される構成としても良い。
【００１５】
また、好適には、上記ケースは、上記押しボタンスイッチを装着する孔部を有し、長手方向の一方の端部付近にて幅方向に沿った分割面で分割される構成としても良い。
【００１６】
また、好適には、上記ケースは、上記押しボタンスイッチを装着する孔部を有し、長手方向に沿った分割面で分割される構成としても良い。
【００１７】
また、好適には、上記予め選択された動作は、ユーザによる使用頻度が高い動作である電源のオン／オフ、チャンネルのアップ／ダウン、及びボリュームのアップ／ダウンであり、上記信号送信部は、ＬＥＤによりユーザ操作に応じた各種赤外線信号を送信するものであり、上記サブリモコンは、上記ケースの他方の先端部付近内にリチウムイオン二次電池を備え、該ケースの他方の先端部付近の長手方向表面に該リチウムイオン二次電池の充電用コネクタを有し、マイコンが搭載されたマイコン用基板と、長手方向の一方の先端部に上記ＬＥＤを搭載し、長手方向の他方の先端部に上記リチウムイオン二次電池と電気的に接続するバッテリ接続部を搭載し、幅方向に上記複数の押しボタンスイッチと各々電気的に接続する複数のスイッチ接続部を並べて搭載し、上記マイコン用基板と電気的に接続される可撓性基板とを、該可撓性基板を幅方向に撓ませつつ内部に収容するものであり、上記押しボタンスイッチは、上記動作に各々対応した操作ボタンと該操作ボタンが押し下げ操作されることにより各々オンさせられるスイッチ部とから構成されており、上記スイッチ接続部は、上記スイッチ部の一方の端子と接続され且つ上記リチウムイオン二次電池から基準電圧を供給される第１金属アタッチメントと、上記スイッチ部の他方の端子と接続され且つ第１抵抗を介して上記マイコンと接続されると共に第２抵抗を介して接地される第２金属アタッチメントとから構成されており、上記ケースは、一方の先端部付近に上記押しボタンスイッチを装着する孔部を有し、長手方向の中央付近にて幅方向に沿った分割面で分割される構成としても良い。
【発明の効果】
【００１８】
以上説明したように、請求項１に記載の発明によれば、上記サブリモコンには上記メインリモコンで遠隔操作可能な本体の動作の内から予め選択された動作を遠隔操作する為の押しボタンスイッチが搭載されており、例えば必要最低限に絞り込んだ押しボタンスイッチが搭載されており、このサブリモコンはそのメインリモコンよりも小型に構成されたペン型の形状をしているので、メインリモコンとは別に、小型で携帯しやすくまたデザインも変化をつけやすい形状をサブリモコンに持たせることができる薄型テレビジョン装置が提供される。これによって、テレビ視聴時のリモコン操作をより快適なものにすることができる。
【００１９】
また、本発明によれば、電源のオン／オフ、チャンネルのアップ／ダウン、及びボリュームのアップ／ダウンの動作を遠隔操作する為の押しボタンスイッチが搭載されるので、テレビ視聴時にユーザによる操作頻度が多いと考えられる電源のオン／オフ、チャンネルのアップ／ダウン、及びボリュームのアップ／ダウンの動作をさせることができる。また、本体の動作に対応した数多くの操作ボタンを搭載する必要がないことから、ほぼ扁平な直方体状のケースとなるなど画一的な形状にする必要がなく、小型で携帯しやすくまたデザインも変化をつけやすいペン型形状をサブリモコンに持たせることが容易となる。
【００２０】
また、本発明によれば、上記サブリモコンはケース内にバッテリを備え、そのケースの他方の先端部付近の長手方向表面にそのバッテリの充電用コネクタを有しているので、乾電池等を電源として使用することに比較して、ほぼ扁平な直方体状のケースとなるなど画一的な形状にする必要がなく、小型で携帯しやすくまたデザインも変化をつけやすいペン型形状をサブリモコンに持たせることが容易となる。
【００２１】
また、本発明によれば、上記サブリモコンは、マイコンが搭載されたマイコン用基板と、長手方向の一方の先端部に上記信号送信部を搭載し、長手方向の他方の先端部に上記バッテリと電気的に接続するバッテリ接続部を搭載し、幅方向に上記複数の押しボタンスイッチと各々電気的に接続する複数のスイッチ接続部を並べて搭載し、上記マイコン用基板と電気的に接続される可撓性基板とが、その可撓性基板が幅方向に撓ませられつつ内部に収容されるので、ほぼ扁平な直方体状のケースとなるなど画一的な形状にする必要がなく、小型で携帯しやすくまたデザインも変化をつけやすいペン型形状をサブリモコンに持たせることが容易となる。
【００２２】
また、本発明によれば、上記押しボタンスイッチは、操作ボタンと該操作ボタンが押し下げ操作されることによりオンさせられるスイッチ部とから構成され、上記スイッチ接続部は、上記スイッチ部の一方の端子と接続され且つ上記バッテリから基準電圧を供給される第１金属アタッチメントと、上記スイッチ部の他方の端子と接続され且つ第１抵抗を介して上記マイコンと接続されると共に第２抵抗を介して接地される第２金属アタッチメントとから構成されるので、ユーザによる押しボタンスイッチの押し下げ操作に対応して信号送信部から信号を適切に送信することができる。
【００２３】
また、本発明によれば、上記サブリモコンは、マイコンが搭載されたマイコン用基板と、長手方向の一方の先端部に上記信号送信部を搭載し、長手方向の他方の先端部に上記バッテリと電気的に接続するバッテリ接続部を搭載し、幅方向に上記複数の押しボタンスイッチにより各々断接される回路パターンを並べて形成し、上記マイコン用基板と電気的に接続される可撓性基板とが、その可撓性基板が幅方向に撓ませられつつ内部に収容されるので、ほぼ扁平な直方体状のケースとなるなど画一的な形状にする必要がなく、小型で携帯しやすくまたデザインも変化をつけやすいペン型形状をサブリモコンに持たせることが容易となる。
【００２４】
また、本発明によれば、上記押しボタンスイッチは、操作ボタンと該操作ボタンが押し下げ操作されることにより上記回路パターンを電気的に接続する導電ラバーとから構成され、上記回路パターンは、上記操作ボタンの押し下げ操作時に上記導電ラバーに接触され且つ上記バッテリから基準電圧を供給される第１端子と、上記操作ボタンの押し下げ操作時に上記導電ラバーに接触され且つ第１抵抗を介して上記マイコンと接続されると共に第２抵抗を介して接地される第２端子とから構成されるので、ユーザによる押しボタンスイッチの押し下げ操作に対応して信号送信部から信号を適切に送信することができる。
【００２５】
また、本発明によれば、上記ケースは、上記押しボタンスイッチを装着する孔部を有し、長手方向の中央付近にて幅方向に沿った分割面で分割されるので、押しボタンスイッチが適切に配設されると共に、例えばマイコン用基板や可撓性基板やバッテリ等が確実に収納される。
【００２６】
また、本発明によれば、上記ケースは、上記押しボタンスイッチを装着する孔部を有し、長手方向の一方の端部付近にて幅方向に沿った分割面で分割されるので、押しボタンスイッチが適切に配設されると共に、例えばマイコン用基板や可撓性基板やバッテリ等が確実に収納される。
【００２７】
また、本発明によれば、上記ケースは、上記押しボタンスイッチを装着する孔部を有し、長手方向に沿った分割面で分割されるので、押しボタンスイッチが適切に配設されると共に、例えばマイコン用基板や可撓性基板やバッテリ等が確実に収納される。
【００２８】
また、本発明によれば、電源のオン／オフ、チャンネルのアップ／ダウン、及びボリュームのアップ／ダウンの動作を遠隔操作する為の押しボタンスイッチが搭載されるので、テレビ視聴時にユーザによる操作頻度が多いと考えられる電源のオン／オフ、チャンネルのアップ／ダウン、及びボリュームのアップ／ダウンの動作をさせることができる。また、本体の動作に対応した数多くの操作ボタンを搭載する必要がないことから、ほぼ扁平な直方体状のケースとなるなど画一的な形状にする必要がなく、小型で携帯しやすくまたデザインも変化をつけやすいペン型形状をサブリモコンに持たせることが容易となる。
また、上記サブリモコンはケース内にリチウムイオン二次電池を備え、そのケースの他方の先端部付近の長手方向表面にそのリチウムイオン二次電池の充電用コネクタを有しているので、乾電池等を電源として使用することに比較して、ほぼ扁平な直方体状のケースとなるなど画一的な形状にする必要がなく、小型で携帯しやすくまたデザインも変化をつけやすいペン型形状をサブリモコンに持たせることが容易となる。
また、上記サブリモコンは、マイコンが搭載されたマイコン用基板と、長手方向の一方の先端部にＬＥＤを搭載し、長手方向の他方の先端部に上記リチウムイオン二次電池と電気的に接続するバッテリ接続部を搭載し、幅方向に上記複数の押しボタンスイッチと各々電気的に接続する複数のスイッチ接続部を並べて搭載し、上記マイコン用基板と電気的に接続される可撓性基板とが、その可撓性基板が幅方向に撓ませられつつ内部に収容されるので、ほぼ扁平な直方体状のケースとなるなど画一的な形状にする必要がなく、小型で携帯しやすくまたデザインも変化をつけやすいペン型形状をサブリモコンに持たせることが容易となる。
また、上記押しボタンスイッチは、操作ボタンと該操作ボタンが押し下げ操作されることによりオンさせられるスイッチ部とから構成され、上記スイッチ接続部は、上記スイッチ部の一方の端子と接続され且つ上記リチウムイオン二次電池から基準電圧を供給される第１金属アタッチメントと、上記スイッチ部の他方の端子と接続され且つ第１抵抗を介して上記マイコンと接続されると共に第２抵抗を介して接地される第２金属アタッチメントとから構成されるので、ユーザによる押しボタンスイッチの押し下げ操作に対応してＬＥＤから赤外線信号を適切に送信することができる。
また、上記ケースは、一方の先端部付近に上記押しボタンスイッチを装着する孔部を有し、長手方向の中央付近にて幅方向に沿った分割面で分割されるので、押しボタンスイッチが適切に配設されると共に、マイコン用基板や可撓性基板やリチウムイオン二次電池等が確実に収納される。
【発明を実施するための最良の形態】
【００２９】
以下、図面にもとづいて本発明の実施形態を説明する。
（１）サブリモコンを備える薄型テレビジョン装置の概略構成
（２）サブリモコンの概略構成
（３）変形例
（４）まとめ
【００３０】
（１）サブリモコンを備える薄型テレビジョン装置の概略構成
以下、図１、２を参照して本発明が適用されるサブリモコン３０を備えた薄型テレビジョン装置としての液晶テレビジョン装置１０の概略構成を説明する。図１は液晶テレビジョン装置１０を示す斜視図であり、図２は液晶テレビジョン装置１０のブロック構成図である。
尚、本実施形態では本発明が適用される薄型テレビジョン装置として液晶テレビジョン装置を例示するが、この実施形態に限定されるものではなく、例えばプラズマテレビやリアプロジェクションテレビや有機ＥＬテレビ等の薄型テレビジョン装置であれば、本発明の要旨を逸脱しない範囲で種々の変形実施の形態が可能である。
【００３１】
図１、図２において、液晶テレビジョン装置１０は、本体１０ａとメインリモコン２３とサブリモコン３０とを備えている。本体１０ａは、チューナ１１、フロントエンド１２、デコーダ１３、ＯＳＤ回路１４、音声出力部１５、画像表示部１６、リモコン受信部１７、マイコン１８、電源回路１９、記憶部２０などから構成されている。また、マイコン１８等の各部は、バス２１にて接続されている。
【００３２】
チューナ１１は、例えばアンテナ２２と接続されており、マイコン１８から入力される制御信号に従って、アンテナ２２で受信されるテレビジョン放送信号の中から１つのチャンネル（例えばユーザによって選局されたチャンネル）に対応するテレビジョン放送信号を取得してフロントエンド１２に出力する。
【００３３】
フロントエンド１２は、例えばマイコン１８から入力される制御信号に従って、チューナ１１から出力されたテレビジョン放送信号を中間周波信号に変換して、デコーダ１３に出力する。
【００３４】
デコーダ１３は、例えばマイコン１８から入力される制御信号に従って、フロントエンド１２から出力された中間周波信号に対して所定のファイル形式（例えばよく知られたＭＰＥＧ−２形式等）に応じた処理を施すことによって、その中間周波信号を音声信号と映像信号とに分離してデコードする。そして、そのデコードした音声信号を音声出力部１５へ出力するとともに、映像信号を画像表示部１６へ出力する。
【００３５】
ＯＳＤ回路１４は、例えばマイコン１８から入力される制御信号に従って、画像表示部１６に所定のＯＳＤ表示（オンスクリーンディスプレイ表示）をさせるためのＯＳＤ表示信号を、デコーダ１３から画像表示部１６へ出力される映像信号に合成する。
【００３６】
音声出力部１５は、例えば音声出力アンプＩＣ１５ａやスピーカ１５ｂなどを有し、音声出力アンプＩＣ１５ａによりデコーダ１３から入力された音声信号に電力増幅等の所定の処理を施して、その音声信号に基づく音声データに応じた音声をスピーカ１５ｂから出力する。
【００３７】
画像表示部１６は、例えばパネル駆動回路１６ａや液晶パネル１６ｂなどを有し、デコーダ１３から出力された映像信号に基づく画像データに応じた画像や、デコーダ１３から出力されてＯＳＤ回路１４によりＯＳＤ表示信号が合成された映像信号に基づく画像データに応じた画像を表示する。
【００３８】
リモコン受信部１７は、例えばメインリモコン２３或いはサブリモコン３０から送信された各種信号（制御コマンド）を受信し、それら各種信号に基づく各種データをマイコン１８へ出力する。
【００３９】
メインリモコン２３は、例えばユーザによって操作され、その操作に応じた各種信号を赤外線或いは電波などの無線方式によりリモコン受信部１７へ送信することで本体１０ａの動作を遠隔操作することができる。
【００４０】
サブリモコン３０は、メインリモコン２３と同様に、ユーザによる操作により本体１０ａの動作を遠隔操作することができる。このサブリモコン３０は、本体の動作に対応した数多くの操作ボタンを搭載するメインリモコン２３に対して操作ボタンの数を減らすことで小型化され、メインリモコン２３とは別に用意された携帯性に優れまたデザインの幅も広がるペン型のリモコンである。そのため、サブリモコン３０を用いて遠隔操作できる本体１０ａの動作は、メインリモコン２３で遠隔操作可能な本体１０ａの動作の内から予め選択された所定動作に限定されている。この所定動作は、例えばユーザによる使用頻度が高い動作である電源（Ｐ−ＯＮ）のオン／オフ、チャンネルのアップ／ダウン、ボリューム（音量）のアップ／ダウンである。
【００４１】
マイコン１８は、例えばＣＰＵ１８ａやＲＡＭ１８ｂやＲＯＭ１８ｃなどを有し、液晶テレビジョン装置１０の動作を制御する。例えば、マイコン１８は、リモコン受信部１７で受信した制御コマンドに基づいて電源のオン／オフ、チャンネルの切換え、音量のアップ／ダウン等を制御する。また、マイコン１８は、電源回路１９のオン・オフを指令する信号として、スタンバイ時にはローとされ且つ電源オン時にはハイとされる電源オン信号（Ｐ−ＯＮ信号）を出力する。
尚、上記スタンバイ時とは、例えば電源回路１９のメイン電源のオン状態であってマイコン１８やリモコン受信部１７等にのみ電源が供給されてユーザによる各種操作（例えば電源オン操作等）の受付を待ち受けていたり予約プログラムに従って待機している等の待機状態である。また、上記電源オン時とは、例えばチューナ１１等にも電源が供給されて液晶パネル１６ｂに映像を表示したりスピーカ１５ｂから音声を出力している等の通常作動状態である。
【００４２】
ＣＰＵ１８ａは、ＲＯＭ１８ｃに記憶された液晶テレビジョン装置１０用の各種処理プログラムに従って、各種の制御動作を行う。
ＲＡＭ１８ｂは、ＣＰＵ１８ａによって実行される処理プログラムなどを展開するためのプログラム格納領域や、入力データや上記処理プログラムが実行される際に生じる処理結果などを格納するデータ格納領域などを備える。
ＲＯＭ１８ｃは、液晶テレビジョン装置１０で実行可能なシステムプログラム、そのシステムプログラムで実行可能な各種処理プログラム、これら各種処理プログラムを実行する際に使用されるデータなどを記憶する。尚、プログラムは、コンピュータが読み取り可能なプログラムコードの形でＲＯＭ１８ｃに記憶されている。
【００４３】
電源回路１９は、例えば部分共振電源回路であり、商用ＡＣ電源を複数種類の所定の電圧に変換して液晶テレビジョン装置１０の各部へ動作電源電圧を出力する。
【００４４】
記憶部２０は、例えばＥＥＰＲＯＭ等の不揮発性半導体メモリで構成されており、放送信号に対応するチャンネル情報やユーザにより設定された各種調整値等を記憶する。
【００４５】
（２）サブリモコンの概略構成
図３はサブリモコン３０の概略構成を例示する図であり、図４はサブリモコン３０を分解した状態を例示する図であり、図５はサブリモコン３０における回路構成を例示する図である。
図３〜図５において、サブリモコン３０は、外形がペン型の形状をしたケース３１と、ケース３１の一方の先端部３１ａに設けられて本体の動作を遠隔操作する為の信号を送信する信号送信部３２としてユーザ操作に応じた各種赤外線信号を送信する為のＬＥＤと、ケース３１の長手方向表面の外周を囲むように設けられてメインリモコン２３で遠隔操作可能な本体の動作の内から予め選択された所定動作を遠隔操作する５つの押しボタンスイッチ３３と、を有している。また、サブリモコン３０は、ケース３１の他方の先端部３１ｂ付近内にバッテリ３４として例えばリチウムイオン二次電池を備え、ケース３１の他方の先端部３１ｂ付近の長手方向表面にバッテリ３４の充電用コネクタ３５を有している。更に、サブリモコン３０は、マイコン用基板３６と、このマイコン用基板３６と電気的に接続される可撓性基板３７とを、可撓性基板３７を幅方向に撓ませつつ内部に収容している。尚、ケース３１の一方の先端部３１ａには信号送信部（ＬＥＤ）３２を覆うカバーを装着しても良い。
【００４６】
ケース３１は、一方の先端部３１ａ付近に押しボタンスイッチ３３を装着する孔部３１ｃを有し、長手方向の中央付近にて幅方向に沿った分割面３１ｄで分割される。
マイコン用基板３６は、ユーザによる押しボタンスイッチ３３の押し下げ操作に対応した各種赤外線信号の送信を制御する為のマイコンとしてのサブマイコン３８を搭載する基板であり、このサブマイコン３８を搭載するために可撓性基板３７のような可撓性は有していない。
可撓性基板３７は、長手方向の一方の先端部３７ａに信号送信部３２（本実施例ではＬＥＤ）を搭載し、長手方向の他方の先端部３７ｂにバッテリ３４（本実施例ではリチウムイオン二次電池）と電気的に接続するバッテリ接続部３９を搭載し、幅方向に押しボタンスイッチ３３と各々電気的に接続する５つのスイッチ接続部４０を並べて搭載している。
押しボタンスイッチ３３は、メインリモコン２３で遠隔操作可能な本体１０ａの動作の内から予め選択された所定動作に各々対応した操作ボタン３３ａと、操作ボタン３３ａが押し下げ操作されることにより各々オンさせられるスイッチ部３３ｂとから構成されている。従って、サブリモコン３０には、操作ボタン３３ａとして例えば電源のオン／オフを行う為の電源ボタン、チャンネルのアップ（＋）／ダウン（−）を行う為の２つのチャンネル（ＣＨ）ボタン、音量のアップ（＋）／ダウン（−）を行う為の２つの音量ボタンが備えられる。
スイッチ接続部４０は、スイッチ部３３ｂの一方の端子３３ｂ１と接続され且つバッテリ３４から基準電圧Ｖccを供給される第１金属アタッチメント４０ａ１と、スイッチ部３３ｂの他方の端子３３ｂ２と接続され且つ第１抵抗Ｒ１を介してサブマイコン３８と接続されると共に第２抵抗Ｒ２を介して接地される第２金属アタッチメント４０ａ２とから構成されている。
このように構成されたサブリモコン３０において、操作ボタン３３ａが押し下げ操作されるとサブマイコンにはオン信号が入力され、操作された操作ボタン３３ａに対応する動作を行わせる為の赤外線信号が信号送信部（ＬＥＤ）３２から発信される。また、このサブリモコン３０は、例えばよく知られた充電台に据え置かれて充電される。充電台は液晶テレビジョン装置１０に備え付けられてもよいが、別の備えられても良い。尚、充電方法としてよく知られた電磁誘電方式を採用する場合には、サブリモコン３０に充電用コネクタ３５を設ける必要はない。
【００４７】
（３）変形例
図６は、押しボタンスイッチ及びスイッチ接続部の変形例を例示する図である。図６において、可撓性基板３７には、スイッチ接続部４０に替えて、幅方向に押しボタンスイッチ５０により各々断接される回路パターン５１が並べて形成されている。
押しボタンスイッチ５０は、メインリモコン２３で遠隔操作可能な本体１０ａの動作の内から予め選択された所定動作に各々対応した操作ボタン５０ａと、操作ボタン５０ａが押し下げ操作されることにより回路パターン５１を電気的に接続する導電ラバー５０ｂとから構成されている。
回路パターン５１は、操作ボタン５０ａの押し下げ操作時に導電ラバー５０ｂに接触され且つバッテリ３４から基準電圧Ｖccを供給される第１端子５１ａと、操作ボタン５０ａの押し下げ操作時に導電ラバー５０ｂに接触され且つ第１抵抗Ｒ１を介してサブマイコン３８と接続されると共に第２抵抗Ｒ２を介して接地される第２端子５１ｂとから構成されている。
【００４８】
図７は、ケースの分割方法の変形例を例示する図である。
図７の（ａ）において、ケース６０は、一方の先端部６０ａ付近に押しボタンスイッチ３３（或いは押しボタンスイッチ５０）を装着する孔部６０ｃを有し、長手方向の一方の端部付近にて幅方向に沿った分割面６０ｄ（或いは６０ｄ’）で分割される。
図７の（ｂ）において、ケース６２は、一方の先端部６２ａ付近に押しボタンスイッチ３３（或いは押しボタンスイッチ５０）を装着する孔部６２ｃを有し、長手方向に沿った分割面６２ｄで分割される。
【００４９】
（４）まとめ
上述のように、本実施例によれば、サブリモコン３０にはメインリモコン２３で遠隔操作可能な本体の動作の内から予め選択された所定動作を遠隔操作する為の押しボタンスイッチ３３（或いは押しボタンスイッチ５０）が搭載されており、例えば必要最低限に絞り込んだ押しボタンスイッチ３３が搭載されており、このサブリモコン３０はそのメインリモコン２３よりも小型に構成されたペン型の形状をしているので、メインリモコン２３とは別に、小型で携帯しやすくまた押しボタンスイッチの位置やケース形状を変更するなどデザインも変化をつけやすい形状をサブリモコン３０に持たせることができる液晶テレビジョン装置１０が提供される。これによって、テレビ視聴時のリモコン操作をより快適なものにすることができる。
【００５０】
また、本実施例によれば、電源のオン／オフ、チャンネルのアップ／ダウン、及びボリュームのアップ／ダウンの動作を遠隔操作する為の押しボタンスイッチ３３（或いは押しボタンスイッチ５０）が搭載されるので、テレビ視聴時にユーザによる操作頻度が多いと考えられる電源のオン／オフ、チャンネルのアップ／ダウン、及びボリュームのアップ／ダウンの動作をさせることができる。また、本体の動作に対応した数多くの操作ボタンを搭載する必要がないことから、ほぼ扁平な直方体状のケースとなるなど画一的な形状にする必要がなく、小型で携帯しやすくまたデザインも変化をつけやすいペン型形状をサブリモコン３０に持たせることが容易となる。
また、サブリモコン３０はケース３１（或いはケース６０、ケース６２））内にバッテリ（リチウムイオン二次電池）３４を備え、そのケース３１の他方の先端部３１ｂ付近の長手方向表面にそのリチウムイオン二次電池の充電用コネクタ３５を有しているので、乾電池等を電源として使用することに比較して、ほぼ扁平な直方体状のケースとなるなど画一的な形状にする必要がなく、小型で携帯しやすくまたデザインも変化をつけやすいペン型形状をサブリモコン３０に持たせることが容易となる。
また、サブリモコン３０は、サブマイコン３８が搭載されたマイコン用基板３６と、長手方向の一方の先端部３７ａに信号送信部（ＬＥＤ）３２を搭載し、長手方向の他方の先端部３７ｂにリチウムイオン二次電池と電気的に接続するバッテリ接続部３９を搭載し、幅方向に複数の押しボタンスイッチ３３と各々電気的に接続する複数のスイッチ接続部４０を並べて搭載し、マイコン用基板３６と電気的に接続される可撓性基板３７とが、可撓性基板３７が幅方向に撓ませられつつ内部に収容されるので、ほぼ扁平な直方体状のケースとなるなど画一的な形状にする必要がなく、小型で携帯しやすくまたデザインも変化をつけやすいペン型形状をサブリモコン３０に持たせることが容易となる。
また、押しボタンスイッチ３３は、操作ボタン３３ａと操作ボタン３３ａが押し下げ操作されることによりオンさせられるスイッチ部３３ｂとから構成され、スイッチ接続部４０は、スイッチ部３３ｂの一方の端子３３ｂ１と接続され且つリチウムイオン二次電池から基準電圧Ｖccを供給される第１金属アタッチメント４０ａ１と、スイッチ部３３ｂの他方の端子３３ｂ２と接続され且つ第１抵抗Ｒ１を介してサブマイコン３８と接続されると共に第２抵抗Ｒ２を介して接地される第２金属アタッチメント４０ａ２とから構成されるので、ユーザによる押しボタンスイッチ３３の押し下げ操作に対応してＬＥＤから赤外線信号を適切に送信することができる。
また、ケース３１は、一方の先端部３１ａ付近に押しボタンスイッチ３３を装着する孔部３１ｃを有し、長手方向の中央付近にて幅方向に沿った分割面３１ｄで分割されるので、押しボタンスイッチ３３が適切に配設されると共に、マイコン用基板３６や可撓性基板３７やリチウムイオン二次電池等が確実に収納される。
【００５１】
以上、本発明の実施例を図面に基づいて詳細に説明したが、本発明はその他の態様においても適用される。
【００５２】
例えば、前述の実施例では、サブリモコン３０で操作できる動作として、電源のオン／オフ、チャンネルのアップ／ダウン、音量のアップ／ダウンを例示したが、必ずしもこれらの動作に限定されなくとも良い。
【００５３】
なお、上述したのはあくまでも一実施形態であり、本発明は当業者の知識に基づいて種々の変更、改良を加えた態様で実施することができる。
【図面の簡単な説明】
【００５４】
【図１】本発明が適用されるサブリモコンを備えた薄型テレビジョン装置の一例である液晶テレビジョン装置を例示する斜視図である。
【図２】液晶テレビジョン装置の構成を例示するブロック図である。
【図３】サブリモコンの概略構成を例示する図である。
【図４】サブリモコンを分解した状態を例示する図である。
【図５】サブリモコンにおける回路構成を例示する図である。
【図６】押しボタンスイッチ及びスイッチ接続部の変形例を例示する図である。
【図７】ケースの分割方法の変形例を例示する図である。
【符号の説明】
【００５５】
１０：液晶テレビジョン装置（薄型テレビジョン装置）
１０ａ：本体
２３：メインリモコン
３０：サブリモコン
３１：ケース
３１ａ：一方の先端部
３１ｂ：他方の先端部
３１ｃ：孔部
３１ｄ：分割面
３２：信号送信部（ＬＥＤ）
３３：押しボタンスイッチ
３３ａ：操作ボタン
３３ｂ：スイッチ部
３３ｂ１：一方の端子
３３ｂ２：他方の端子
３４：バッテリ（リチウムイオン二次電池）
３５：充電用コネクタ
３６：マイコン用基板
３７：可撓性基板
３７ａ：長手方向の一方の先端部
３７ｂ：長手方向の他方の先端部
３８：サブマイコン（マイコン）
３９：バッテリ接続部
４０：スイッチ接続部
４０ａ１：第１金属アタッチメント
４０ａ２：第２金属アタッチメント
５０：押しボタンスイッチ
５０ａ：操作ボタン
５０ｂ：導電ラバー
５１：回路パターン
５１ａ：第１端子
５１ｂ：第２端子
６０：ケース
６０ｃ：孔部
６０ｄ：分割面
６２：ケース
６２ｃ：孔部
６２ｄ：分割面
Ｒ１：第１抵抗
Ｒ２：第２抵抗 
【図１】
2009171522.tif 000003
【図２】
2009171522.tif 000004
【図３】
2009171522.tif 000005
【図４】
2009171522.tif 000006
【図５】
2009171522.tif 000007
【図６】
2009171522.tif 000008
【図７】
2009171522.tif 000009